(57)【要約】【課題】生産性が高いＢＮＣコネクタプラグを実現する。【解決手段】本発明の一形態に係るＢＮＣコネクタプラグ１は、端子が内部に配置された状態で固定される端子固定体４と、端子固定体４の軸方向に当該端子固定体４が移動可能に内部に配置される筒状体５と、端子固定体４の移動を規制する規制機構６と、を備える。規制機構６は、端子固定体４の外周面から突出する第１の突出部１０と、筒状体５の内周面から突出する第２の突出部１１と、筒状体５の内周面から突出する第３の突出部１２と、第２の突出部１１と第３の突出部１２との間に配置され、第１の突出部１０が引っ掛けられる台座１３と、第２の突出部１１と台座１３との間に配置される弾性部材１４と、を有する。【選択図】図１
2019185961.tif 000002
【特許請求の範囲】
【請求項１】
ＢＮＣコネクタジャックが接続されるＢＮＣコネクタプラグであって、
端子が内部に配置された状態で固定される端子固定体と、
前記端子固定体の軸方向に当該端子固定体が移動可能に内部に配置される筒状体と、
前記端子固定体の移動を規制する規制機構と、
を備え、
前記規制機構は、
前記端子固定体の外周面から突出する第１の突出部と、
前記筒状体の内周面における前記ＢＮＣコネクタジャックが接続される側に対して逆側から突出する第２の突出部と、
前記筒状体の内周面における前記第２の突出部に対して前記ＢＮＣコネクタジャックが接続される側から突出する第３の突出部と、
前記第２の突出部と前記第３の突出部との間に配置され、前記ＢＮＣコネクタジャックが接続される側から前記第１の突出部が引っ掛けられる台座と、
前記第２の突出部と前記台座との間に配置される弾性部材と、
を有する、ＢＮＣコネクタプラグ。
【請求項２】
前記第１の突出部は、前記第３の突出部に対して前記ＢＮＣコネクタジャックが接続される側に突出しており、
前記ＢＮＣコネクタジャックが接続された場合に、前記第１の突出部が前記ＢＮＣコネクタジャックに接触して、前記台座を介して前記弾性部材を収縮させることで、前記弾性部材は、前記ＢＮＣコネクタジャックを前記ＢＮＣコネクタプラグに対して離間する方向に付勢し、前記ＢＮＣコネクタジャックのピンを前記筒状体に形成された溝部の戻り止め部に押し込む、請求項１に記載のＢＮＣコネクタプラグ。
【請求項３】
前記台座は、リング部と、前記リング部から前記ＢＮＣコネクタジャックが接続される側に突出し、前記リング部の周方向に間隔を開けて配置される位置決めピンと、を備え、
前記位置決めピンは、前記第３の突出部に形成された切り欠き部の内部に配置され、
前記第１の突出部は、前記位置決めピンの間に配置されている、請求項１又は２に記載のＢＮＣコネクタプラグ。
【請求項４】
前記第３の突出部は、前記切り欠き部の両側から前記ＢＮＣコネクタジャックが接続される側に対して逆側に突出するガイド部を備え、
前記ガイド部の間に前記位置決めピンが配置されている、請求項３に記載のＢＮＣコネクタプラグ。
【請求項５】
前記ガイド部は、前記ＢＮＣコネクタジャックが接続される側に対して逆側に前記端子固定体が引き込まれた場合に、前記ガイド部から前記位置決めピンが抜けない高さを有する、請求項４に記載のＢＮＣコネクタプラグ。
【請求項６】
前記位置決めピンは、前記ＢＮＣコネクタジャックが接続される側に前記端子固定体が押し込まれた場合に、前記位置決めピンから前記第１の突出部が抜けない高さを有する、請求項３乃至５のいずれか１項に記載のＢＮＣコネクタプラグ。
【請求項７】
前記端子固定体は、当該端子固定体における前記ＢＮＣコネクタジャックが接続される側に対して逆側の端部にフランジ部を備え、
前記フランジ部は、前記第２の突出部に対して前記ＢＮＣコネクタジャックが接続される側に対して逆側に配置されている、請求項１乃至６のいずれか１項に記載のＢＮＣコネクタプラグ。
【請求項８】
前記端子固定体のフランジ部は、前記弾性部材を前記ＢＮＣコネクタジャックが接続される側に押し込む押し込み部を備え、
前記押し込み部の高さは、前記第３の突出部のフランジ部の厚さより高い、請求項７に記載のＢＮＣコネクタプラグ。
【請求項９】
請求項１乃至８のいずれか１項に記載のＢＮＣコネクタプラグと、
前記ＢＮＣコネクタプラグに接続されるＢＮＣコネクタジャックと、
を備えるＢＮＣコネクタ。
【発明の詳細な説明】
【技術分野】
【０００１】
本発明は、ＢＮＣ（Bayonet Neill Concelman）コネクタプラグ及びＢＮＣコネクタに関し、例えば、ＢＮＣコネクタジャックに接続されるＢＮＣコネクタプラグ及びそれを備えるＢＮＣコネクタに関する。
【背景技術】
【０００２】
一般的なコネクタは、例えば、信号の入出力を行う機器に使用されている。これらのコネクタは、ＴＮＣ、Ｍ、Ｎ、ＳＭＡ型などが存在するが、ＢＮＣ型のコネクタが簡単に脱着できる構成とされており、広く使用されている。
【０００３】
例えば、一般的なＢＮＣコネクタは、特許文献１に開示されているように、ＢＮＣコネクタプラグの筒状体に形成された溝部にＢＮＣコネクタジャックの筒状体に形成されたピンを挿入して、ＢＮＣコネクタジャックに対してＢＮＣコネクタプラグを回転させ、ＢＮＣコネクタジャックのピンをＢＮＣコネクタプラグの溝部の戻り止め部に嵌め込むことで、ＢＮＣコネクタプラグとＢＮＣコネクタジャックとを接続する構成である。
【先行技術文献】
【特許文献】
【０００４】
【特許文献１】特開２００４−６３３４号公報
【発明の概要】
【発明が解決しようとする課題】
【０００５】
このようなＢＮＣコネクタにおいては、ＢＮＣコネクタジャックのピンがＢＮＣコネクタプラグの溝部の戻り止め部から簡単に離脱しないように、ＢＮＣコネクタプラグの弾性部材によってＢＮＣコネクタジャックのピンがＢＮＣコネクタプラグの溝部の戻り止め部に嵌め込まれる側にＢＮＣコネクタジャックを押し込んでいる。
【０００６】
このとき、ＢＮＣコネクタプラグは、端子が固定される端子固定体に通された弾性部材が当該端子固定体に設けられたワッシャと筒状体に形成されたフランジ部との間に配置され、さらに筒状体の端部をかしめることで、端子固定体や弾性部材が筒状体から抜け出ない構成とされている。
【０００７】
このように一般的なＢＮＣコネクタプラグは、端子固定体や弾性部材が筒状体から抜け出ないように当該筒状体の端部をかしめる必要がある。このとき、筒状体の端部のかめし作業に失敗したり、かしめ部が損傷したり、する場合があり、一般的なＢＮＣコネクタプラグは、生産性が低い課題を有していた。
【０００８】
本発明は、このような問題点に鑑みてなされたものであり、生産性が高いＢＮＣコネクタプラグ及びＢＮＣコネクタを実現する。
【課題を解決するための手段】
【０００９】
本発明の一態様に係るＢＮＣコネクタプラグは、ＢＮＣコネクタジャックが接続されるＢＮＣコネクタプラグであって、
端子が内部に配置された状態で固定される端子固定体と、
前記端子固定体の軸方向に当該端子固定体が移動可能に内部に配置される筒状体と、
前記端子固定体の移動を規制する規制機構と、
を備え、
前記規制機構は、
前記端子固定体の外周面から突出する第１の突出部と、
前記筒状体の内周面における前記ＢＮＣコネクタジャックが接続される側に対して逆側から突出する第２の突出部と、
前記筒状体の内周面における前記第２の突出部に対して前記ＢＮＣコネクタジャックが接続される側から突出する第３の突出部と、
前記第２の突出部と前記第３の突出部との間に配置され、前記ＢＮＣコネクタジャックが接続される側から前記第１の突出部が引っ掛けられる台座と、
前記第２の突出部と前記台座との間に配置される弾性部材と、
を有する。
【００１０】
上述のＢＮＣコネクタプラグにおいて、前記第１の突出部は、前記第３の突出部に対して前記ＢＮＣコネクタジャックが接続される側に突出しており、
前記ＢＮＣコネクタジャックが接続された場合に、前記第１の突出部が前記ＢＮＣコネクタジャックに接触して、前記台座を介して前記弾性部材を収縮させることで、前記弾性部材は、前記ＢＮＣコネクタジャックを前記ＢＮＣコネクタプラグに対して離間する方向に付勢し、前記ＢＮＣコネクタジャックのピンを前記筒状体に形成された溝部の戻り止め部に押し込むことが好ましい。
【００１１】
上述のＢＮＣコネクタプラグにおいて、前記台座は、リング部と、前記リング部から前記ＢＮＣコネクタジャックが接続される側に突出し、前記リング部の周方向に間隔を開けて配置される位置決めピンと、を備え、
前記位置決めピンは、前記第３の突出部に形成された切り欠き部の内部に配置され、
前記第１の突出部は、前記位置決めピンの間に配置されていることが好ましい。
【００１２】
上述のＢＮＣコネクタプラグにおいて、前記第３の突出部は、前記切り欠き部の両側から前記ＢＮＣコネクタジャックが接続される側に対して逆側に突出するガイド部を備え、
前記ガイド部の間に前記位置決めピンが配置されていることが好ましい。
【００１３】
上述のＢＮＣコネクタプラグにおいて、前記ガイド部は、前記ＢＮＣコネクタジャックが接続される側に対して逆側に前記端子固定体が引き込まれた場合に、前記ガイド部から前記位置決めピンが抜けない高さを有することが好ましい。
【００１４】
上述のＢＮＣコネクタプラグにおいて、前記位置決めピンは、前記ＢＮＣコネクタジャックが接続される側に前記端子固定体が押し込まれた場合に、前記位置決めピンから前記第１の突出部が抜けない高さを有することが好ましい。
【００１５】
上述のＢＮＣコネクタプラグにおいて、前記端子固定体は、当該端子固定体における前記ＢＮＣコネクタジャックが接続される側に対して逆側の端部にフランジ部を備え、
前記フランジ部は、前記第２の突出部に対して前記ＢＮＣコネクタジャックが接続される側に対して逆側に配置されていることが好ましい。
【００１６】
上述のＢＮＣコネクタプラグにおいて、前記端子固定体のフランジ部は、前記弾性部材を前記ＢＮＣコネクタジャックが接続される側に押し込む押し込み部を備え、
前記押し込み部の高さは、前記第３の突出部のフランジ部の厚さより高いことが好ましい。
【００１７】
本発明の一態様に係るＢＮＣコネクタは、
上述のＢＮＣコネクタプラグと、
前記ＢＮＣコネクタプラグに接続されるＢＮＣコネクタジャックと、
を備える。
【発明の効果】
【００１８】
本発明によれば、生産性が高いＢＮＣコネクタプラグ及びＢＮＣコネクタを実現できる。
【図面の簡単な説明】
【００１９】
【図１】実施の形態のＢＮＣコネクタプラグにＢＮＣコネクタジャックが接続されたＢＮＣコネクタを示す一部透視図である。
【図２】実施の形態のＢＮＣコネクタを示す断面図である。
【図３】実施の形態のＢＮＣコネクタプラグを示す分解図である。
【図４】実施の形態のＢＮＣコネクタプラグの端子固定体を示す斜視図である。
【図５】実施の形態のＢＮＣコネクタプラグの筒状体を示す正面図である。
【図６】実施の形態のＢＮＣコネクタプラグの筒状体を示す斜視図である。
【図７】実施の形態のＢＮＣコネクタプラグの筒状体を示す平面図である。
【図８】実施の形態のＢＮＣコネクタプラグの筒状体を示す異なる斜視図である。
【図９】実施の形態のＢＮＣコネクタプラグの台座を示す斜視図である。
【図１０】台座の第１の凹部及び第１の切り欠き部に第１の突出部が通された状態を示す一部透視図である。
【図１１】端子固定体に対して筒状体を回転させた状態を示す一部透視図である。
【図１２】第１の突出部を台座の位置決めピンの間に配置した状態を示す一部透視図である。
【図１３】実施の形態のＢＮＣコネクタプラグの端子固定体が引き込まれた状態を示す一部透視図である。
【図１４】実施の形態のＢＮＣコネクタプラグの端子固定体が押し込まれた状態を示す一部透視図である。
【発明を実施するための形態】
【００２０】
以下、本発明を適用した具体的な実施の形態について、図面を参照しながら詳細に説明する。但し、本発明が以下の実施の形態に限定される訳ではない。また、説明を明確にするため、以下の記載及び図面は、適宜、簡略化されている。
【００２１】
先ず、本実施の形態のＢＮＣコネクタプラグの構成を説明する。図１は、本実施の形態のＢＮＣコネクタプラグにＢＮＣコネクタジャックが接続されたＢＮＣコネクタを示す一部透視図である。図２は、本実施の形態のＢＮＣコネクタを示す断面図である。図３は、本実施の形態のＢＮＣコネクタプラグを示す分解図である。図４は、本実施の形態のＢＮＣコネクタプラグの端子固定体を示す斜視図である。図５は、本実施の形態のＢＮＣコネクタプラグの筒状体を示す正面図である。図６は、本実施の形態のＢＮＣコネクタプラグの筒状体を示す斜視図である。図７は、本実施の形態のＢＮＣコネクタプラグの筒状体を示す平面図である。図８は、本実施の形態のＢＮＣコネクタプラグの筒状体を示す異なる斜視図である。図９は、本実施の形態のＢＮＣコネクタプラグの台座を示す斜視図である。なお、図１及び図３では、筒状体を透視した状態であり、図を明確にするために、筒状体は簡略化して示している。ここで、以下の説明では、説明を明確にするために、三次元（ＸＹＺ）座標系を用いて説明する。
【００２２】
本実施の形態のＢＮＣコネクタプラグ１は、例えば、信号の入出力を行う機器などに用いられ、図１及び図２に示すように、ＢＮＣコネクタジャック２とでＢＮＣコネクタ３を構成する。ここで、以下の説明では、無線機器のアンテナの接続部に用いられるＢＮＣコネクタ３の構成を例に説明する。
【００２３】
ＢＮＣコネクタジャック２としては、図２に示すように、一般的な無線機器のアンテナの接続部に設けられるＢＮＣコネクタジャックを用いることができ、雌型端子２ａが固定された端子固定体２ｂ、及び端子固定体２ｂが内部に固定された筒状体２ｃを備えており、筒状体２ｃの外周面からピン２ｄが突出している。
【００２４】
ＢＮＣコネクタプラグ１は、図３に示すように、端子固定体４、筒状体５及び規制機構６を備えている。端子固定体４は、図４に示すように、本体部４ａ及びフランジ部４ｂを備えており、例えば、樹脂製である。本体部４ａは、円筒形状を基本形態としており、本体部４ａの貫通孔４ｃの周面におけるＺ軸＋側の端部にねじ部４ｄが形成されている。
【００２５】
ねじ部４ｄには、例えば、雄型端子７をＢＮＣコネクタプラグ１に接続するために、貫通孔４ｃに通された雄型端子７のねじ部がねじ込まれる。これにより、端子固定体４には、雄型端子７が内部に通された状態で固定される。但し、ＢＮＣコネクタプラグ１に接続される端子は、ＢＮＣコネクタジャック２の端子と電気的に接続できる形状であればよく、雌型端子でもよい。
【００２６】
フランジ部４ｂは、本体部４ａにおけるＺ軸＋側の端部に形成されている。フランジ部４ｂは、Ｚ軸方向から見て、円環形状であり、本体部４ａにおけるＺ軸＋側の端部から当該本体部４ａの径方向外側に突出している。
【００２７】
筒状体５は、図５乃至図８に示すように、本体部５ａ、第１の溝部５ｂ、第２の溝部５ｃ及び戻り止め部５ｄを備えており、例えば、樹脂製である。本体部５ａは、端子固定体４の本体部４ａの外径に対して大きい内径を有する円筒形状を基本形態としており、本体部５ａの内部に端子固定体４がＺ軸方向に移動可能に配置されている。
【００２８】
第１の溝部５ｂは、図１及び図５に示すように、本体部５ａのＺ軸−側の部分に形成されており、ＢＮＣコネクタプラグ１に接続されるＢＮＣコネクタジャック２のピン２ｄが挿入される。そのため、第１の溝部５ｂは、ＢＮＣコネクタジャック２のピン２ｄの個数に対応するように、本体部５ａに複数形成されており、例えば、二個の第１の溝部５ｂが本体部５ａの中心を対称点とする点対称に配置されている。
【００２９】
第１の溝部５ｂは、図５に示すように、本体部５ａを厚さ方向に貫通しており、周方向＋側に向かうに従ってＺ軸＋側に上る螺旋状である。第１の溝部５ｂの一方の端部には、第２の溝部５ｃが接続されている。
【００３０】
第２の溝部５ｃは、図８に示すように、本体部５ａの内周面に形成されており、Ｚ軸方向に延在している。そして、第２の溝部５ｃのＺ軸＋側の端部は、第１の溝部５ｂに到達し、第２の溝部５ｃのＺ軸−側の端部は、本体部５ａのＺ軸−側の端部に到達している。このような第２の溝部５ｃは、ＢＮＣコネクタジャック２のピン２ｄを挿入可能な深さを有する。
【００３１】
第１の溝部５ｂの他方の端部には、図５に示すように、戻り止め部５ｄが形成されている。戻り止め部５ｄは、第１の溝部５ｂの他方の端部からＺ軸−側に突出する凹部であり、ＢＮＣコネクタジャック２のピン２ｄを係止可能な深さを有する。
【００３２】
このような本体部５ａの外周面における第１の溝部５ｂに対してＺ軸＋側の部分には、ＢＮＣコネクタプラグ１をＢＮＣコネクタジャック２と接続する際にユーザによって摘ままれる摘まみ部５ｅを備えているとよい。摘まみ部５ｅは、例えば、Ｚ軸方向から見て、略正多角形に形成されている。但し、摘まみ部５ｅは、ユーザが摘まんだ際に滑らない形状であればよい。
【００３３】
規制機構６は、端子固定体４のＺ軸方向（即ち、端子固定体４の軸方向）への移動を規制する。規制機構６は、図１などに示すように、第１の突出部１０、第２の突出部１１、第３の突出部１２、台座１３及びコイルバネ１４を備えている。
【００３４】
第１の突出部１０は、図３及び図４に示すように、端子固定体４の本体部４ａの外周面から複数突出している。このとき、第１の突出部１０は、端子固定体４の本体部４ａの外周面の周方向に略等しい間隔（例えば、二個の第１の突出部１０が略１８０°の間隔）を開けて配置されているとよい。
【００３５】
第１の突出部１０は、例えば、逆Ｔ字形状であり、鉛直部１０ａ及び水平部１０ｂを備えている。但し、第１の突出部１０の配置及び形状は、限定されず、変更することができ、例えば、水平部１０ｂを省略してもよい。
【００３６】
第２の突出部１１は、図６及び図７に示すように、筒状体５の本体部５ａの内周面におけるＺ軸＋側の部分から複数突出している。このとき、第２の突出部１１は、筒状体５の本体部５ａの内周面の周方向に略等しい間隔（例えば、二個の第２の突出部１１が本体部５ａの内周面の周方向で略１８０°の間隔）を開けて配置されているとよい。
【００３７】
第２の突出部１１は、詳細は後述するが、コイルバネ１４を第２の突出部１１に対してＺ軸−側に配置する際に、コイルバネ１４のピッチ部分にねじ込めるピン形状とされている。但し、第２の突出部１１の配置や形状は、コイルバネ１４のＺ軸＋側の動きを規制することができ、且つコイルバネ１４のピッチ部分にねじ込むことができればよい。
【００３８】
第３の突出部１２は、図６乃至図８に示すように、第２の突出部１１に対してＺ軸−側であって、且つ第１の溝部５ｂに対してＺ軸＋側に配置されている。第３の突出部１２は、フランジ部１２ａ、第１の切り欠き部１２ｂ、第２の切り欠き部１２ｃ及びガイド部１２ｄを備えている。
【００３９】
フランジ部１２ａは、筒状体５の本体部５ａの内周面から突出しており、円環形状を基本形態としている。そして、フランジ部１２ａは、フランジ部１２ａの中央に貫通部１２ｅを備えており、貫通部１２ｅは、端子固定体４の本体部４ａの外径に対して大きい径を有する。
【００４０】
第１の切り欠き部１２ｂには、詳細は後述するが、端子固定体４に形成された第１の突出部１０が通される。そのため、第１の切り欠き部１２ｂは、第１の突出部１０と対応するように、フランジ部１２ａに形成されており、第１の突出部１０の水平部１０ｂの幅寸法Ｗ１に対して広い幅寸法Ｗ２を有し、且つ第１の突出部１０における本体部４ａからの突出量Ｐ１に対して深い深さＤ１を有する。
【００４１】
第２の切り欠き部１２ｃは、フランジ部１２ａに形成されており、Ｚ軸方向から見て、第１の切り欠き部１２ｂの間に配置されている。第２の切り欠き部１２ｃの幅寸法Ｗ３及び深さＤ２は、適宜、設定することができる。
【００４２】
ガイド部１２ｄは、フランジ部１２ａにおける第２の切り欠き部１２ｃの両側からＺ軸＋側に突出しており、フランジ部１２ａの径方向内側に配置されている。ガイド部１２ｄは、例えば、略長方形状の平板である。
【００４３】
台座１３は、図９に示すように、リング部１３ａ、第１の凹部１３ｂ、位置決めピン１３ｃ及び第２の凹部１３ｄを備えており、筒状体５に形成された第２の突出部１１と第３の突出部１２のフランジ部１２ａとの間に配置されている。リング部１３ａは、筒状体５の本体部５ａの内径に対して小さい外径を有し、且つ端子固定体４の本体部４ａの外径に対して大きい内径を有する。
【００４４】
第１の凹部１３ｂは、Ｚ軸方向から見て、筒状体５に形成された第１の切り欠き部１２ｂと重なるように配置されており、詳細は後述するが、端子固定体４に形成された第１の突出部１０が通される。そのため、第１の凹部１３ｂは、端子固定体４に形成された第１の突出部１０と対応するように、リング部１３ａに形成されており、第１の突出部１０の水平部１０ｂの幅寸法Ｗ１に対して広い幅寸法Ｗ４を有し、且つ第１の突出部１０における本体部４ａからの突出量Ｐ１に対して深い深さＤ３を有する。
【００４５】
位置決めピン１３ｃは、二本を一組とし、複数組の位置決めピン群１３ｅが台座１３のリング部１３ａの周方向に略等しい間隔を開けて配置されている。位置決めピン群１３ｅの各々の位置決めピン１３ｃは、台座１３のリング部１３ａからＺ軸−側に突出し、リング部１３ａの径方向内側に配置されている。
【００４６】
位置決めピン群１３ｅは、図１に示すように、筒状体５に形成されたガイド部１２ｄの間であって、且つ筒状体５に形成された第２の切り欠き部１２ｃの内部に配置されている。そして、位置決めピン群１３ｅの一方の位置決めピン１３ｃは、第２の切り欠き部１２ｃを挟む一方のガイド部１２ｄにおける他方のガイド部１２ｄと対向する面と略接触し、他方の位置決めピン１３ｃは、他方のガイド部１２ｄにおける一方のガイド部１２ｄと対向する面と略接触する。
【００４７】
位置決めピン群１３ｅの位置決めピン１３ｃにおけるリング部１３ａの周方向の間隔は、端子固定体４に形成された第１の突出部１０の鉛直部１０ａの幅寸法と略等しく、位置決めピン１３ｃの間に第１の突出部１０の鉛直部１０ａが配置されている。
【００４８】
これにより、端子固定体４に形成された第１の突出部１０の鉛直部１０ａは、位置決めピン１３ｃによってＺ軸方向の移動が案内される。このとき、第１の突出部１０が最もＺ軸＋側に配置された状態で、第１の突出部１０の鉛直部１０ａのＺ軸＋側の端面がリング部１３ａのＺ軸−側の面に接触する。
【００４９】
第２の凹部１３ｄは、位置決めピン群１３ｅの両側に配置されており、リング部１３ａの内径部から径方向外側に窪んでいる。この第２の凹部１３ｄには、筒状体５に形成されたガイド部１２ｄが配置されている。
【００５０】
コイルバネ１４は、図１に示すように、筒状体５の本体部５ａの内部において、コイルバネ１４の内部に端子固定体４の本体部４ａが通された状態で、筒状体５に形成された第２の突出部１１と台座１３のリング部１３ａとの間に配置されている。このとき、コイルバネ１４の内部に筒状体５に形成されたガイド部１２ｄが配置されている。但し、本実施の形態では、コイルバネ１４を用いたが、弾性変形可能な筒状体を用いたり、湾曲させた板バネを重ねたり、してもよい。このとき、コイルバネ１４を用いると、板バネなどを用いる場合に比べて、安価にＢＮＣコネクタプラグ１を製造することができる。
【００５１】
次に、本実施の形態のＢＮＣコネクタプラグ１を組み立てる流れを説明する。図１０は、台座の第１の凹部及び第１の切り欠き部に第１の突出部が通された状態を示す一部透視図である。図１１は、端子固定体に対して筒状体を回転させた状態を示す一部透視図である。図１２は、第１の突出部を台座の位置決めピンの間に配置した状態を示す一部透視図である。なお、図１０乃至図１２では、筒状体を透視した状態であり、図を明確にするために、筒状体は簡略化して示している。
【００５２】
先ず、組立者は、台座１３を筒状体５に形成されたフランジ部１２ａのＺ軸＋側の面に載置する。このとき、Ｚ軸方向から見て、台座１３の第１の凹部１３ｂを筒状体５に形成された第１の切り欠き部１２ｂと重ねる。また、台座１３の位置決めピン１３ｃを筒状体５に形成されたガイド部１２ｄの間であって、筒状体５に形成された第２の切り欠き部１２ｃの内部に配置する。
【００５３】
次に、組立者は、コイルバネ１４を筒状体５に形成された第２の突出部１１と台座１３のリング部１３ａとの間に配置する。詳細には、組立者は、例えば、コイルバネ１４のピッチ部分に第２の突出部１１をねじ込み、コイルバネ１４を回転させることで、コイルバネ１４をＺ軸−側に移動させ、コイルバネ１４を第２の突出部１１と台座１３のリング部１３ａとの間に配置する。
【００５４】
次に、組立者は、端子固定体４の本体部４ａをＺ軸＋側からコイルバネ１４の内部に挿入し、図１０に示すように、端子固定体４に形成された第１の突出部１０を台座１３の第１の凹部１３ｂ及び筒状体５に形成された第１の切り欠き部１２ｂに通す。
【００５５】
これにより、端子固定体４に形成された第１の突出部１０は、筒状体５に形成されたフランジ部１２ａに対してＺ軸−側に配置される。また、筒状体５の本体部５ａにおけるＺ軸＋側の開口部は、端子固定体４のフランジ部４ｂによって略塞がれる。
【００５６】
なお、コイルバネ１４の内部に端子固定体４の本体部４ａが挿入された際に、第１の突出部１０がコイルバネ１４に干渉しないように、コイルバネ１４の内径や第１の突出部１０の突出量Ｐ１は設定されている。
【００５７】
次に、組立者は、図１１に示すように、端子固定体４に対して筒状体５を周方向−側に回転させる。このとき、台座１３の位置決めピン１３ｃは、筒状体５に形成されたフランジ部１２ａからＺ軸−側に突出しているので、端子固定体４に形成された第１の突出部１０は位置決めピン１３ｃに引っ掛かる。
【００５８】
次に、組立者は、図１２に示すように、治具２０を用いて台座１３の位置決めピン１３ｃをＺ軸＋側に押し込んで、位置決めピン１３ｃのＺ軸−側の端部を筒状体５に形成されたフランジ部１２ａのＺ軸−側の面に対してＺ軸＋側に配置する。
【００５９】
ここで、治具２０は、例えば、基部２０ａ、挿入部２０ｂ及び押し込みピン２０ｃを備えている。基部２０ａは、治具２０で位置決めピン１３ｃを押し込む際に組立者によって摘ままれる部分であり、例えば、円柱形状である。
【００６０】
挿入部２０ｂは、基部２０ａからＺ軸＋側に突出しており、治具２０で位置決めピン１３ｃを押し込む際にＺ軸−側から筒状体５の本体部５ａの内部に挿入される。挿入部２０ｂは、例えば、円柱形状であり、筒状体５の本体部５ａの内径に対して小さい径を有する。
【００６１】
押し込みピン２０ｃは、治具２０で位置決めピン１３ｃを押し込む際に、台座１３における位置決めピン群１３ｅのうち、端子固定体４に対する筒状体５の回転方向に対して逆側（即ち、周方向＋側）に配置された位置決めピン１３ｃをＺ軸−側から押し込むように、挿入部２０ｂからＺ軸＋側に突出している。押し込みピン２０ｃは、例えば、位置決めピン１３ｃの幅寸法に対して狭い幅寸法を有する略長方形状の平板である。
【００６２】
このような治具２０の挿入部２０ｂをＺ軸−側から筒状体５の本体部５ａの内部に挿入して、押し込みピン２０ｃを台座１３の位置決めピン１３ｃに接触させ、治具２０をＺ軸＋側に押し込むと、簡単に台座１３の位置決めピン１３ｃをＺ軸＋側に押し込むことができる。
【００６３】
これにより、コイルバネ１４は、筒状体５に形成された第２の突出部１１と台座１３のリング部１３ａとの間で圧縮される。但し、治具２０は、台座１３の位置決めピン１３ｃをＺ軸＋側に押し込むことができる構成であればよい。
【００６４】
この状態から、組立者は、端子固定体４に対して筒状体５を更に回転させ、端子固定体４に形成された第１の突出部１０の水平部１０ｂが治具２０の押し込みピン２０ｃに接触すると、治具２０を筒状体５の本体部５ａからＺ軸−側に引き抜く。
【００６５】
これにより、台座１３がコイルバネ１４の復元力によってＺ軸−側に押し込まれ、端子固定体４に形成された第１の突出部１０の鉛直部１０ａのＺ軸＋側の部分が台座１３の位置決めピン１３ｃの間に配置され、第１の突出部１０が台座１３のリング部１３ａのＺ軸−側の面に引っ掛かる。このように本実施の形態のＢＮＣコネクタプラグ１は、端子固定体４の第１の突出部１０を台座１３のリング部１３ａに引っ掛けることで簡単に組み立てることができる。
【００６６】
このようなＢＮＣコネクタプラグ１は、端子固定体４のフランジ部４ｂにコイルバネ１４をＺ軸−側に押し込む押し込み部４ｅを備えているとよい。これにより、コイルバネ１４の圧縮力を増大でき、端子固定体４のガタツキを抑制することができる。
【００６７】
押し込み部４ｅは、フランジ部４ｂからＺ軸−側に突出している。そして、押し込み部４ｅは、上述のように、端子固定体４の本体部４ａを筒状体５の本体部５ａに挿入してから、端子固定体４に対して筒状体５を回転させて当該端子固定体４に形成された第１の突出部１０の鉛直部１０ａが台座１３の位置決めピン１３ｃの間に配置されるまでの間に、筒状体５の第２の突出部１１に干渉しないように、フランジ部４ｂの周方向において所定の角度領域に配置されている。
【００６８】
ここで、上述のように、端子固定体４に形成された第１の突出部１０が筒状体５に形成された第２の切り欠き部１２ｃの内部に配置され、これにより、第１の突出部１０が筒状体５に形成された第３の突出部１２のフランジ部１２ａに対してＺ軸−側に配置されている場合に比べて、端子固定体４がＺ軸＋側に移動することになる。
【００６９】
そこで、端子固定体４がＺ軸＋側に移動しても、端子固定体４の押し込み部４ｅが良好にコイルバネ１４に接触しているように、押し込み部４ｅの高さＨ１は、筒状体５のフランジ部１２ａの厚さに対して高いことが好ましい。
【００７０】
次に、本実施の形態のＢＮＣコネクタプラグの端子固定体のＺ軸方向への移動を説明する。図１３は、本実施の形態のＢＮＣコネクタプラグの端子固定体が引き込まれた状態を示す一部透視図である。図１４は、本実施の形態のＢＮＣコネクタプラグの端子固定体が押し込まれた状態を示す一部透視図である。なお、図１３及び図１４では、筒状体を透視した状態であり、図を明確にするために、筒状体は簡略化して示している。
【００７１】
上述の構成のＢＮＣコネクタプラグ１における端子固定体４の本体部４ａのねじ部４ｄに雄型端子７のねじ部をねじ込むことで、雄型端子７を接続することができる。雄型端子７がＺ軸＋側に引き込まれると、図１３に示すように、端子固定体４に形成された第１の突出部１０が台座１３をＺ軸＋側に押し上げ。これにより、コイルバネ１４が筒状体５に形成された第２の突出部１１と台座１３のリング部１３ａとの間で収縮し、端子固定体４のＺ軸＋側への移動を許容する。
【００７２】
このとき、コイルバネ１４は、筒状体５に形成された第２の突出部１１に引っ掛かって当該筒状体５から抜け出さず、その結果、端子固定体４も、筒状体５から抜け出さない。また、台座１３の位置決めピン１３ｃは、筒状体５に形成されたガイド部１２ｄに沿ってＺ軸＋側に案内される。
【００７３】
そして、雄型端子７のＺ軸＋側への引き込みが解消されると、コイルバネ１４の復元力によって台座１３がＺ軸−側に押し込まれると共に、端子固定体４もＺ軸−側に押し込まれ、雄型端子７が引き込まれていない元の状態に復元される。
【００７４】
このとき、台座１３の位置決めピン１３ｃ及び端子固定体４の第１の突出部１０が筒状体５の第２の切り欠き部１２ｃの内部に配置された状態を維持する必要がある。そのため、端子固定体４がＺ軸＋側に移動した際に台座１３の位置決めピン１３ｃが筒状体５に形成されたガイド部１２ｄから抜け出さないように、ガイド部１２ｄの高さＨ２及び位置決めピン１３ｃの高さＨ３は設定される。
【００７５】
一方、雄型端子７がＺ軸−側に押し込まれると、図１４に示すように、端子固定体４の押し込み部４ｅがコイルバネ１４を押し込む。これにより、コイルバネ１４が端子固定体４の押し込み部４ｅと台座１３のリング部１３ａとの間で収縮し、端子固定体４のＺ軸−側への移動を許容する。このとき、端子固定体４に形成された第１の突出部１０は、台座１３の位置決めピン１３ｃに沿ってＺ軸−側に案内される。
【００７６】
そして、雄型端子７のＺ軸−側への押し込みが解消されると、コイルバネ１４の復元力によって端子固定体４がＺ軸＋側に押し込まれ、雄型端子７が押し込まれていない元の状態に復元される。
【００７７】
このとき、端子固定体４に形成された第１の突出部１０を台座１３の位置決めピン１３ｃの内部に配置された状態を維持する必要がある。そのため、第１の突出部１０が台座１３の位置決めピン１３ｃから抜けないように、位置決めピン１３ｃの高さＨ３及び端子固定体４の第１の突出部１０の高さＨ４は設定される。
【００７８】
次に、本実施の形態のＢＮＣコネクタプラグ１にＢＮＣコネクタジャック２を接続する流れを説明する。ＢＮＣコネクタプラグ１にＢＮＣコネクタジャック２を接続する際には、図１に示すように、無線機器のユーザがＢＮＣコネクタジャック２のピン２ｄを筒状体５の第２の溝部５ｃを介して第１の溝部５ｂに挿入する。
【００７９】
そして、ユーザがＢＮＣコネクタジャック２に対してＢＮＣコネクタプラグ１を周方向−側に回転させると、第１の溝部５ｂの傾斜によって、ＢＮＣコネクタプラグ１がＢＮＣコネクタジャック２に接近し、ＢＮＣコネクタジャック２の筒状体２ｃのＺ軸＋側の端面が端子固定体４に形成された第１の突出部１０のＺ軸−側の面に接触する。
【００８０】
さらに、ユーザがＢＮＣコネクタジャック２に対してＢＮＣコネクタプラグ１を回転させると、次第に、ＢＮＣコネクタジャック２の筒状体２ｃのＺ軸＋側の端面が端子固定体４に形成された第１の突出部１０をＺ軸＋側に押し上げる。これにより、台座１３がＺ軸＋側に押し上げられ、コイルバネ１４が圧縮する。
【００８１】
さらに、ユーザがＢＮＣコネクタジャック２に対してＢＮＣコネクタプラグ１を回転させ、ＢＮＣコネクタジャック２のピン２ｄが第１の溝部５ｂの他方の端部に到達すると、コイルバネ１４の復元力によってピン２ｄが戻り止め部５ｄに押し込まれる。これにより、ＢＮＣコネクタプラグ１にＢＮＣコネクタジャック２を接続することができる。
【００８２】
このような構成のＢＮＣコネクタプラグ１は、一般的なＢＮＣコネクタプラグのようなかしめ作業を省略して組み立てることができる。そのため、本実施の形態のＢＮＣコネクタプラグ１は、一般的なＢＮＣコネクタプラグに対して、組み立て作業が簡単で、しかも生産性を向上させることができる。
【００８３】
本発明は上記実施の形態に限られたものではなく、趣旨を逸脱しない範囲で適宜変更することが可能である。
【００８４】
上記実施の形態のＢＮＣコネクタプラグ１は、端子固定体４にフランジ部４ｂや押し込み部４ｅを備えた構成とされているが、省略してもよい。
【００８５】
上記実施の形態のガイド部１２ｄや位置決めピン１３ｃは、略長方形状の平板に形成しているが、ガイド部１２ｄに沿って位置決めピン１３ｃがＺ軸方向に移動可能な構成であればよく、例えば、柱状でもよい。
【００８６】
上記実施の形態のＢＮＣコネクタ３は、無線機器のアンテナの接続部に用いられる構成であるが、他の機器の信号の入出力部に用いる場合は、ＢＮＣコネクタプラグ１の端子固定体４や筒状体５及びＢＮＣコネクタジャック２の端子固定体２ｂや筒状体２ｃは、真鍮などの金属製で構成される。この場合、端子固定体４には、インピーダンス整合をとるための外殻シェルを設けてもよい。つまり、ＢＮＣコネクタ３が設けられる機器に応じて、ＢＮＣコネクタプラグ１やＢＮＣコネクタジャック２の材質などは、適宜、変更することができる。
【符号の説明】
【００８７】
１  ＢＮＣコネクタプラグ
２  ＢＮＣコネクタジャック、２ａ  雌型端子、２ｂ  端子固定体、２ｃ  筒状体、２ｄ  ピン
３  ＢＮＣコネクタ
４  端子固定体、４ａ  本体部、４ｂ  フランジ部、４ｃ  貫通孔、４ｄ  ねじ部、４ｅ  押し込み部
５  筒状体、５ａ  本体部、５ｂ  第１の溝部、５ｃ  第２の溝部、５ｄ  戻り止め部、５ｅ  摘まみ部
６  規制機構
７  雄型端子
１０  第１の突出部、１０ａ  鉛直部、１０ｂ  水平部
１１  第２の突出部
１２  第３の突出部、１２ａ  フランジ部、１２ｂ  第１の切り欠き部、１２ｃ  第２の切り欠き部、１２ｄ  ガイド部、１２ｅ  貫通部
１３  台座、１３ａ  リング部、１３ｂ  第1の凹部、１３ｃ  位置決めピン、１３ｄ  第２の凹部、１３ｅ  位置決めピン群
１４  コイルバネ
２０  治具
２０ａ  基部
２０ｂ  挿入部
２０ｃ  押し込みピン
【図１】
2019185961.tif 000003
【図２】
2019185961.tif 000004
【図３】
2019185961.tif 000005
【図４】
2019185961.tif 000006
【図５】
2019185961.tif 000007
【図６】
2019185961.tif 000008
【図７】
2019185961.tif 000009
【図８】
2019185961.tif 000010
【図９】
2019185961.tif 000011
【図１０】
2019185961.tif 000012
【図１１】
2019185961.tif 000013
【図１２】
2019185961.tif 000014
【図１３】
2019185961.tif 000015
【図１４】
2019185961.tif 000016